(57)【要約】【課題】  シーツのような大面積で汚れや破れ等の欠陥部のある欠陥布片の欠陥レベルを検査するのに、従来では二人の作業員により欠陥布片を展張させながら欠陥部を捜していたので、作業効率が非常に悪かった。【解決手段】  欠陥布片検査用の展張装置において、所定大きさを有する立面状の機枠１と、該機枠１の前面部において展張すべき布片Ｓ0の上辺部Ｓａの両角部Ｓｃ，Ｓｃを保持して布片上辺部Ｓａを左右に展張させる左右展張装置２と、該左右展張装置２で保持された布片Ｓ1を該布片Ｓ1の下辺部Ｓｂが床面Ｆから離間する高さまで上昇させる昇降装置３とを備え、欠陥布片Ｓ0の一辺の両角部Ｓｃ，Ｓｃを左右展張装置２（両チャック）に保持させるだけで、該布片を吊上げ状態できれいに展張させ得るようにしている。【選択図】  図１
2008007886.tif 000002
【特許請求の範囲】
【請求項１】
シーツのような大面積を有し且つ汚れや破れ等の欠陥部がある欠陥布片（Ｓ0）を吊上げ状態で上下・左右に展張させるための欠陥布片検査用の展張装置であって、
所定大きさを有する立面状の機枠（１）と、該機枠（１）の前面部において展張すべき布片（Ｓ0）の上辺部（Ｓａ）の両角部（Ｓｃ，Ｓｃ）を保持して前記布片上辺部（Ｓａ）を左右に展張させる左右展張装置（２）と、該左右展張装置（２）で保持された布片（Ｓ1）を該布片（Ｓ1）の下辺部（Ｓｂ）が床面（Ｆ）から離間する高さまで上昇させる昇降装置（３）とを備えている、
ことを特徴とする欠陥布片検査用の展張装置。
【請求項２】
機枠（１）の前面部において吊上げ状態で展張される展張布片（Ｓ2）の背面側に照明装置（４）を設けている、
ことを特徴とする請求項１記載の欠陥布片検査用の展張装置。
【発明の詳細な説明】
【技術分野】
【０００１】
本願発明は、シーツのような大面積布片であって汚れや破れ等の欠陥部がある欠陥布片の欠陥レベルを検査するために使用する欠陥布片検査用の展張装置に関するものである。
【背景技術】
【０００２】
病院やホテル等ではシーツのような大面積布片が大量に使用され、その使用済みの布片は、ランドリー工場において洗濯・乾燥させ、アイロン仕上げをした後、小さく折畳んで発注先に納品する。
【０００３】
又、ランドリー工場では、処理すべき大面積布片（シーツ）を一連の処理ライン上で展張させた状態で、該布片に汚れや破れ等の欠陥部があるかどうかを監視カメラで監視し、欠陥部があると判断した場合にはその欠陥布片を正規の処理ラインから排除するようにしている。この種の欠陥部検出装置としては、従来から例えば特開平６−２２８８６１号公報（特許文献１）、特開２００４−１７７１４３号公報（特許文献２）等に記載されたものがある。尚、特開平６−２２８８６１号公報（特許文献１）のものは、布片の片面側からのみ欠陥部を検出するものであり、特開２００４−１７７１４３号公報（特許文献２）のものは、布片の両面から欠陥部を検出するようにしたものである。
【０００４】
そして、上記検出装置で欠陥部有りと判断された（排除された）欠陥布片は、ある程度の枚数を溜めておき、後でそれらの欠陥布片を１枚ずつ展張させて目視により欠陥レベル（汚れや破れ等の欠陥種類、及び欠陥度合）をチェックしていた。
【０００５】
ところで、シーツのような布片は、大面積（各種サイズがあるが、大サイズでは約３ｍ×３ｍ程度）を有しており、従来では、該布片の欠陥部をチェックするのに二人の作業員により手作業で行っていた。即ち、２人の作業員が布片の対向側縁の一端側をそれぞれ摘まんで広げ、その布片の他端側を手繰り寄せながら順次目視により欠陥部を捜し出し、その欠陥部のレベル（欠陥内容）を判別していた。尚、欠陥布片は、欠陥レベルによって、そのまま正常品（欠陥レベルが許容範囲内の場合）とするか、再洗濯（汚れの場合）するか、補修（破れの場合）するか、廃棄（汚れ除去不能又は補修不能の場合）するか、の選別が行われて、それぞれの処理工程に送られる。
【０００６】
【特許文献１】特開平６−２２８８６１号公報
【特許文献２】特開２００４−１７７１４３号公報
【発明の開示】
【発明が解決しようとする課題】
【０００７】
ところが、従来から行われている欠陥布片の欠陥レベル検査作業では、次のような問題があった。
【０００８】
まず、欠陥布片の欠陥部を捜し出すには該布片を展張させる必要があるが、シーツのような大面積布片を手作業で展張させるには二人の作業員が必要であるので、人件費コストが高くつく。
【０００９】
又、布片展張作業は手作業で行っており、且つ布片（シーツ）が大面積であるので二人の作業員では一度に全展張させることができずに一端側から他端側を順次手繰り寄せながら欠陥部を捜していたので、作業が面倒であり、しかも１枚当たりの検査時間が長くかかっていた。
【００１０】
さらに、欠陥レベル検査は、通常は布片の片面（上面）側からしか見ないので、裏面に汚れがある場合には見落とすことがあり、ときには欠陥布片の欠陥レベルを見間違えることがあった（その結果、間違った選別が行われる）。
【００１１】
そこで本願発明は、欠陥布片の欠陥部検出作業における上記した従来の問題点に鑑み、大面積布片であっても一人で簡単且つ短時間で展張させることができ、しかも欠陥部の検出が容易に行えるようにした欠陥布片検査用の展張装置を提供することを目的としてなされたものである。
【課題を解決するための手段】
【００１２】
本願発明は、上記課題を解決するための手段として次の構成を有している。
【００１３】
本願請求項１の発明
本願請求項１の発明は、シーツのような大面積を有し且つ汚れや破れ等の欠陥部がある欠陥布片を吊上げ状態で上下・左右に展張させるための欠陥布片検査用の展張装置を対象にしている。尚、シーツは各種サイズのものがあるが、大サイズのシーツでは約３ｍ×３ｍ程度の面積を有している。
【００１４】
そして、この請求項１の展張装置は、所定大きさを有する立面状の機枠と、該機枠の前面部において展張すべき布片の上辺部の両角部を保持して布片上辺部を左右に展張させる左右展張装置と、該左右展張装置で保持された布片を該布片の下辺部が床面から離間する高さまで上昇させる昇降装置とを備えて構成されている。
【００１５】
機枠には、左右一対の支柱を有している。この両支柱は、上下・左右に展張させた吊上げ展張布片の上下幅（約３ｍ）よりやや高い高さを有し、且つ前記吊上げ展張布片の左右幅（約３ｍ）よりやや大きい間隔を有する状態で設置されている。
【００１６】
左右展張装置は、左右の支柱間に跨がる長さを有する横架材と、該横架材に装備された左右一対のチャックと、該各チャックを横架材に沿って左右近接・離間方向に移動させるチャック左右動装置とを有している。
【００１７】
横架材は、昇降装置により左右の支柱に対して上下動し得る状態で設置されている。各チャックは、展張すべき布片の一辺の各角部をそれぞれ保持するものである。チャック左右動装置は、各チャックを、人の肩幅程度の間隔まで近づける近接位置と布片の一辺を緊張させる程度まで展張させる離間位置との間で左右に移動させるものである。このチャック左右動装置の動力源としては、エアシリンダが使用できるが、モータを使用してもよい。尚、チャック左右動装置は、布片上辺部の各角部を保持していた各チャックが、該布片上辺部が左右に緊張するまで移動した時点（所定の負荷がかかる）で展張作用が停止するようになっている。従って、このチャック左右動装置は、サイズや縦横の向きによって布片上辺部となる一辺の長さが異なっても、それぞれ布片上辺部を緊張させるまで展張させることができる。
【００１８】
昇降装置は、左右展張装置の横架材を上下動させることによって、各チャックを人の肩高さ程度まで降下させた低位置と各チャックで保持された布片の下辺部が床面から離間する程度まで上昇させた高位置との間で上下動させ得るようになっている。この昇降装置の動力源としては、エアシリンダが使用できるが、モータを使用してもよい。
【００１９】
ところで、この展張装置で展張される欠陥布片は、通常の処理ライン上で欠陥部検出装置により欠陥部（汚れや破れ等）があると判断されたものであるが、その欠陥布片の欠陥レベル（内容、程度）は様々である。又、検査すべき欠陥布片は、予め多数枚を展張装置の近傍に運んでおいて、順次１枚ずつ欠陥レベルを検査する。
【００２０】
この請求項１の展張装置は、次のようにして使用される。
【００２１】
布片の展張作業開始前には、左右展張装置を人の肩高さ程度の低位置まで降下させ、且つ各チャックを人の肩幅程度まで近接させた位置に待機させておく。そして、１枚の欠陥布片を取り出してその任意の一辺の両角部を捜し出し、その各角部をそれぞれ各チャックに保持させる。次に、左右展張装置を作動させて布片上辺部が緊張するまで各チャックを離間させるとともに、昇降装置を作動させて展張布片の下辺部が床面から離間するまで左右展張装置を上動させる。尚、左右展張装置と昇降装置は同時に作動させて、布片の左右展張動作と布片の吊上げ動作を同時進行させてもよい。この状態では、布片は上下・左右に展張された状態で吊上げられているが、この吊上げ展張布片に絡まり部分があれば布片の側縁部を引っ張ったりゆすったりしてきれいに展張させるとよい。
【００２２】
次に、吊上げ展張された布片を作業員が目視により布片前面側から見渡して欠陥部（汚れや破れ等）を見つけ、その欠陥レベル（内容、程度）を確認する。そして、確認した欠陥レベル（内容、程度）に基いて、当該布片を、そのまま正常品（欠陥レベルが許容範囲内の場合）とするか、再洗濯（汚れの場合）するか、補修（破れの場合）するか、廃棄（汚れ除去不能又は補修不能の場合）するか、を判定する。欠陥レベルを確認した吊上げ展張布片は、各チャックを保持解除させることにより自重で床面上に落下し、該欠陥布片を判定した内容の所定場所に選別する。
【００２３】
又、この展張装置では、各チャックが布片角部を保持解除した後、昇降装置が降下側に作動するとともに、チャック左右動装置がチャック近接側に作動して、左右展張装置が元の待機位置に戻される。そして、順次同様に次の欠陥布片を吊上げ展張し、欠陥レベルを確認して選別する。
【００２４】
このように、本願請求項１の展張装置では、欠陥布片の任意の一辺の両角部を捜し出して、その両角部を各チャックに保持させるだけで後は自動できれいに吊上げ展張させることができ、さらに欠陥部の欠陥レベルを確認するのに吊上げ展張布片を前面側から見渡すだけでよい。従って、欠陥布片の検査作業を全て一人の作業員で行うことができる。
【００２５】
尚、この請求項１の展張装置による欠陥部検査では、布片の欠陥部が比較的薄い汚れで吊上げ展張時にその汚れが背面側にのみある場合には、欠陥布片であっても吊上げ展張布片の前面側から欠陥部を見つけられないことが想定される。そのように、欠陥布片として排除されたものであって、吊上げ展張状態で前面側から欠陥部を確認できないときには、その欠陥布片を裏返して再度吊上げ展張させて検査するとよい。
【００２６】
本願請求項２の発明
本願請求項２の発明は、上記請求項１の展張装置において、機枠の前面部において吊上げ状態で展張されている展張布片の背面側に照明装置を設けている。
【００２７】
又、この請求項２の展張装置では、機枠前面部で吊上げ展張された布片と照明装置の間に半透明（例えば乳白色）のスクリーンを介在させてもよい。
【００２８】
シーツのような布片は、比較的薄い織物製であるために照明装置からの照明光を通す性質があり、吊上げ展張布片の背面側から照明光を当てると、吊上げ展張布片の裏面に欠陥部がある場合でも、その欠陥部を透かして見ることができる。
【発明の効果】
【００２９】
本願請求項１の発明の効果
本願請求項１の展張装置は、所定大きさを有する立面状の機枠と、布片の上辺部を左右に展張させる左右展張装置と、該左右展張装置で保持された布片上昇させる昇降装置とを備えているので、次のような効果がある。
【００３０】
(1) 欠陥布片を展張させるのに、該布片の任意の一辺の両角部を捜し出して、その両角部を左右展張装置（各チャック）に保持させるだけで後は自動で吊上げ展張させることができるので、布片の展張作業を簡単且つ短時間で行える。
【００３１】
(2) 欠陥布片を吊上げて展張させるので、欠陥布片を全面に亘ってきれいに展張させることができ、それによって欠陥部が複数箇所あっても容易に発見できる（見落としがなくなって検査精度が良好になる）。
【００３２】
(3) 欠陥布片の展張作業及び欠陥レベル検査作業を一人の作業員で行えるので、人件費コストを安価にできる。
【００３３】
本願請求項２の発明の効果
本願請求項２の発明は、上記請求項１の展張装置において、機枠の前面部において吊上げ状態で展張されている展張布片の背面側に照明装置を設けているので、上記請求項１の効果に加えて次の効果がある。
【００３４】
即ち、この請求項２の展張装置では、吊上げ展張布片の背面側から照明光を当てることができるので、吊上げ展張布片の裏面に欠陥部がある場合でも、その欠陥部を透かして見ることができ、より精度の高い（見落としのない）欠陥部の検査ができる。
【実施例】
【００３５】
以下、図１〜図３を参照して本願実施例の欠陥布片検査用の展張装置を説明する。
【００３６】
ところで、ランドリー工場では、病院やホテル等で使用されたシーツのような大面積布片を、洗濯・乾燥し、アイロン仕上げをした後、小さく折畳むという一連の処理工程を行っている。又、ランドリー工場では、処理工程の途中（折畳み前）に大面積布片（シーツ）に汚れや破れ等の欠陥部があるかどうかを監視カメラで監視し、欠陥部があると判断した場合にはその欠陥布片を正規の処理ラインから排除するようにしている。そして、欠陥部有りと判断された（排除された）欠陥布片は、後で１枚ずつ展張させて欠陥レベル（汚れや破れ等の欠陥種類又は欠陥度合）をチェックし、その欠陥レベルによって、そのまま正常品とするか、再洗濯するか、補修するか、廃棄するか、の選別が行われる。尚、シーツは、各種のサイズがあるが、大サイズのものでは約３ｍ×３ｍ程度の大面積を有している。
【００３７】
図１〜図３に示す実施例の展張装置は、上記のように欠陥部有りとして排除された欠陥布片を、吊上げ状態で上下・左右に展張させるためのものである。
【００３８】
この実施例の展張装置は、図１及び図２に示すように、所定大きさを有する立面状の機枠１と、該機枠１の前面部に設けられた左右展張装置２と、該左右展張装置２を昇降させる左右一対の昇降装置３，３と、後述する吊上げ展張布片Ｓ2の背面側に設置された照明装置４，４，４とを備えて構成されている。
【００３９】
機枠１は、ベース材１１の左右各端部上にそれぞれ所定高さの支柱１２，１２を立設し、該各支柱１２，１２の上端部を上梁材１３で連結して、正面視四角形の枠状に形成している。
【００４０】
左右の両支柱１２，１２は、上下・左右に展張させた吊上げ展張布片（図１のＳ2の状態）の上下幅（約３ｍ）よりやや高い高さを有し、且つ吊上げ展張布片Ｓ2の左右幅（約３ｍ）よりやや大きい間隔を有する状態で設置されている。従って、この機枠１の内部（ベース材１１と各支柱１２，１２と上梁材１３で囲われた内部）には、吊上げ状態で上下・左右に展張される展張布片Ｓ2の外形（大サイズで約３ｍ×３ｍの大きさがある）よりやや大きい面積の空間部を有している。
【００４１】
左右展張装置２は、左右の各支柱１２，１２間に跨がる長さを有する横架材２０と、該横架材２０に装備された左右一対のチャック２１，２１と、該各チャック２１，２１を横架材２０に沿って左右近接・離間方向に移動させるチャック左右動装置２５とを有している。
【００４２】
横架材２０は、この実施例では図３に示すように縦断面Ｃ形の長尺型材が使用されている。この横架材２０は、その左右各端部を左右の各昇降装置３，３のエンドレス索３３，３３（後述するように上下に走行する）に固定して支持されている。そして、この横架材２０は、後述するように左右の各昇降装置３，３を作動させることによって機枠１の前面部において水平姿勢を維持したまま上下動せしめ得るようになっている。
【００４３】
左右の各チャック２１，２１は、展張すべき布片（Ｓ0〜Ｓ2）の上辺部Ｓａの各角部Ｓｃ，Ｓｃをそれぞれ保持するもので、この実施例では図３に拡大図示するように縦向きの台板２２の下端部前面に掴持片２３を設け、該掴持片２３を操作シリンダ２４により開閉し得るようにしたものが採用されている。この各チャック２１，２１は、各台板２２，２２部分をチャック左右動装置２５のエンドレス索２７（後述するように左右に走行する）の上辺走行部と下辺走行部にそれぞれ固定して支持されている。そして、この各チャック２１，２１は、チャック左右動装置２５を作動させることによって横架材２０に沿って相互に左右近接・離間方向に移動せしめ得るようになっている。
【００４４】
チャック左右動装置２５は、図１に示すように横架材２０の両端寄り位置にそれぞれ取付けた２つのプーリ２８，２８と、該両プーリ２８，２８間に巻回されたエンドレス索２７と、該エンドレス索２７を可逆的に押し引き走行させるエアシリンダ２６とを有している。
【００４５】
左右の各チャック２１，２１は、図１及び図３に示すように、右側チャック２１がエンドレス索２７の上辺走行部に固定され、左側チャック２１がエンドレス索２７の下辺走行部に固定されている。又、エアシリンダ２６の伸縮ロッド先端は、エンドレス索２７の上辺走行部に固定された右側チャック２１（台板２２）に連結されている。そして、エアシリンダ２６の最縮小状態（図１の実線図示状態）では、左右の各チャック２１，２１を人の肩幅程度の間隔まで近づけた近接位置で維持させる一方、該エアシリンダ２６を伸長させる（鎖線図示状態）と、両チャックを符号２１′，２１′で示すように布片の上辺部Ｓａを緊張させ得る離間位置まで移動させるようになっている。尚、チャック左右動装置２５のエアシリンダ２６は、布片上辺部の各角部Ｓｃ，Ｓｃを保持している各チャック２１，２１が、布片上辺部が左右に緊張するまで移動した時点（所定の負荷がかかった時点）で伸長動作が停止するようになっている。
【００４６】
昇降装置３，３は、左右の各支柱１２，１２部分に同構造のものを一対有している。この各昇降装置３，３は、それぞれ上下間隔をもって支柱１２に取付けた２つのプーリ３４，３４と、該両プーリ３４，３４間に巻回されたエンドレス索３３と、該エンドレス索３３を可逆的に押し引き走行させるエアシリンダ３１とを有している。この実施例では、昇降装置３のエアシリンダ３１としてロッドレスシリンダが採用されていて、シリンダチューブに沿ってスライダー３２が上下動するようになっている。
【００４７】
そして、この各昇降装置３，３（左右同構造）は、図２に示すように、エアシリンダ３１のスライダー３２がエンドレス索３３の後側走行部に固定されているとともに、横架材２０の端部が該エンドレス索３３の前側走行部に固定されている。そして、エアシリンダ３１のスライダー３２が最上動位置（図１、図２の点線図示位置）にあるときには、横架材２０（各チャック２１，２１）を図１、図２に実線図示する人の肩高さ程度まで降下させた低位置に維持し、該スライダー３２が最下動位置（図２の符号３２′で示す鎖線図示位置）まで下動すると、横架材を符号２０′で示す高位置まで上動させるようになっている。そして、横架材が符号２０′で示す高位置まで上動した状態では、各チャック２１″，２１″で保持された布片Ｓ2の下辺部Ｓｂが床面Ｆから離間するようになっている。
【００４８】
尚、この実施例では、チャック左右動装置２５及び昇降装置３の各動力源として、それぞれエアシリンダを使用しているが、これらの動力源はモータを使用してもよい。
【００４９】
機枠１の前面寄り内部空所には、その全面積に亘って半透明（乳白色）のスクリーン５を張設している。このスクリーン５は、後述の照明装置（蛍光灯）４からの光を分散させて透過させるものである。尚、このスクリーン５は、機枠１の前面部で吊上げ展張される布片Ｓ2の背面側に位置する。
【００５０】
スクリーン５の背面側には、前面側に向けて照明光を当てる上下３段の照明装置４，４，４が設けられている。この各照明装置４，４，４は、この実施例では蛍光灯を使用しており、該蛍光灯４，４，４を左右の支柱１２，１２間において横向き姿勢で上下に間隔をもって取付けている。
【００５１】
尚、この展張装置の操作盤は、機枠１の前面側（作業位置）の適所に設置される。
【００５２】
ところで、この展張装置で展張される欠陥布片は、通常の処理ライン上で欠陥部検出装置により欠陥部（汚れや破れ等）があると判断されたものであるが、その欠陥布片の欠陥レベル（内容、程度）は様々である。又、検査すべき欠陥布片は、予め多数枚を展張装置の近傍に運んでおいて、順次１枚ずつ欠陥レベルを検査する。
【００５３】
そして、この実施例の展張装置は、次のようにして使用される。
【００５４】
布片の展張作業開始前には、図１に実線図示するように、左右展張装置２（横架材２０）を人の肩高さ程度の低位置まで降下させ、且つ各チャック２１，２１を人の肩幅程度まで近接させた位置に待機させておく。又、各照明装置（蛍光灯）４，４，４は点灯しておく。
【００５５】
そして、１枚の欠陥布片を取り出してその任意の一辺の両角部を捜し出し、その各角部Ｓｃ，Ｓｃをそれぞれ各チャック２１，２１に保持させる（図１の布片Ｓ0の状態）。次に、チャック左右動装置２５のエアシリンダ２６を伸長させて布片上辺部Ｓａが緊張するまで各チャック２１，２１を離間させる。このとき各チャックが符号２１′，２１′の位置まで移動し、布片が符号Ｓ1のように左右に展張される。続いて左右の昇降装置３，３（各エアシリンダ３１，３１）を上動側に作動させて、左右展張装置２を符号２′の高さまで上動させる（各チャックが符号２１″，２１″の位置にある）。この状態では、吊上げられた布片は、符号Ｓ2で示すように布片下辺部Ｓｂが床面Ｆから若干高さだけ離間しており、且つ上下・左右にきれいに展張される。尚、この吊上げ展張布片Ｓ2に絡まり部分があれば布片の側縁部を引っ張ったりゆすったりしてきれいに展張させるとよい。
【００５６】
次に、吊上げ展張された布片Ｓ2を作業員が目視により布片前面側から見渡して欠陥部（汚れや破れ等）を捜すが、そのとき各照明装置（蛍光灯）４，４，４からの照明光が半透明（乳白色）のスクリーン５を通して吊上げ展張布片Ｓ2の背面側に透過し、さらにその透過した照明光の一部が吊上げ展張布片Ｓ2の生地を通して布片前面に透過するので、布片Ｓ2の背面に汚れがある場合でも、その背面側汚れを見つけ易くなる。
【００５７】
そして、見つけた欠陥部の欠陥レベル（汚れか破れかの内容、及び程度等）を確認し、その欠陥レベル（内容、程度）に基いて、当該布片を、そのまま正常品（欠陥レベルが許容範囲内の場合）とするか、再洗濯（汚れの場合）するか、補修（破れの場合）するか、廃棄（汚れ除去不能又は補修不能の場合）するか、を判定する。欠陥レベルを確認した吊上げ展張布片は、各チャック２１″，２１″を保持解除させることにより自重で床面Ｆ上に落下し、該欠陥布片を判定した内容の所定場所に選別する。
【００５８】
吊上げ展張していた布片を保持解除した後、昇降装置３，３が降下側に作動するとともに、チャック左右動装置２５がチャック近接側に作動して、左右展張装置２が元の待機位置に戻される。そして、順次同様に次の欠陥布片を吊上げ展張し、欠陥レベルを確認して選別する。
【００５９】
このように、この実施例の展張装置では、欠陥布片Ｓ0の任意の一辺の両角部Ｓｃ，Ｓｃを捜し出して、その両角部Ｓｃ，Ｓｃを各チャック２１，２１に保持させるだけで後は自動できれいに吊上げ展張させることができる。又、欠陥部の欠陥レベルを確認するには、吊上げ展張布片Ｓ2を前面側から見渡すだけでよい。従って、この展張装置を使用すると、欠陥布片の展張作業が簡単となり、しかも欠陥部の検査が簡単に行えるとともに、それらの作業を全て一人の作業員で行うことができる。
【００６０】
又、吊上げ展張布片Ｓ2の背面側から照明装置４，４，４の照明光を当てているので、吊上げ展張布片Ｓ2の裏面に欠陥部（汚れ）がある場合でも、その欠陥部を透かして見ることができ、検査精度が向上する（欠陥部の見落としがなくなる）。
【図面の簡単な説明】
【００６１】
【図１】本願実施例の欠陥布片検査用の展張装置の正面図である。
【図２】図１の拡大右側面図である。
【図３】図１のIII−III拡大断面図である。
【符号の説明】
【００６２】
１は機枠、２は左右展張装置、３は昇降装置、４は照明装置、５はスクリーン、１２は支柱、２０は横架材、２１はチャック、２５はチャック左右動装置、Ｓ0〜Ｓ2は布片、Ｓａは上辺部、Ｓｂは下辺部、Ｓｃは角部である。
【図１】
2008007886.tif 000003
【図２】
2008007886.tif 000004
【図３】
2008007886.tif 000005